(57)【特許請求の範囲】
【請求項１】
ネック部に収容されている電子銃の格子電極に両端が固定され、上記電子銃の各電極を保持している一対のビードガラスの外面を取り巻いて上記ネック部の内壁面との間に介在するように配設されている導電性リードを有し、上記導電性リードを加熱蒸発させて、上記導電性リードに対向している上記ネック部の内壁面に蒸着膜を被着形成するようにしてなる陰極線管の電子銃において、上記導電性リードの少なくとも一端を、上記加熱により膨張した上記導電性リードをその長手方向に引っ張る金属片を介して上記格子電極に固定したことを特徴とする陰極線管の電子銃。
【請求項２】
金属片がバイメタルであり、このバイメタルは一対のビードガラスを結ぶ線と略平行に直立し、導電性リードの延在方向に略直交して、一端が格子電極に固定されるとともに他端に導電性リードの一端が固定されたことを特徴とする請求項１記載の陰極線管の電子銃。
【請求項３】
金属片が弾性をもった金属片であり、この金属片は一対のビードガラスを結ぶ線と略平行に直立し、導電性リードの延在方向に略直交して、一端が格子電極に固定されるとともに他端に導電性リードの一端が固定されたことを特徴とする請求項１記載の陰極線管の電子銃。
【請求項４】
金属片が導電性リードよりも線膨張率の高い金属片であり、この金属片はその延在方向が導電性リードの延在方向に略平行に配置されて中央部が格子電極に固定されるとともに両端に導電性リードの両端がそれぞれ固定されたことを特徴とする請求項１記載の陰極線管の電子銃。
【発明の詳細な説明】
【０００１】
【発明の属する技術分野】
この発明は、陰極線管の電子銃に係り、特に耐電圧特性を良好にすることが可能な陰極線管の電子銃に関するものである。
【０００２】
【従来の技術】
図４は従来の陰極線管のネツク部を破断して電子銃の構成を示す図、図５は従来の陰極線管の電子銃の要部を示す縦断面図である。図において、１はネック部、２は電子銃で、陰極３、第１、第２、第３の格子電極４、５、６および陽極７がビードガラス８によって互いに所定の間隔でもって保持されて、電子銃２の主要部を構成している。さらに、陽極７には、カップ１０が溶着されており、このカップ１０はスペーサ１１を介して内部導電膜１２に接続されている。
このように構成されている電子銃２を備えた陰極線管は、動作時に陽極７には約３０ｋｖ、第３の格子電極６には約７ｋｖ、第２の格子電極５には約７００ｖ、第１の格子電極４には約０ｖの電圧がそれぞれ印加されている。
【０００３】
このような動作状態では、第１の格子電極４、第２の格子電極５の低電圧部から、陽極７の高電圧に引かれて冷電子が放出される。この放出された冷電子はネック部１の内壁に衝突して正の帯電部分を形成し、この帯電部分が陰極３の近くまで移動して、陰極３、第１の格子電極４などの低電圧部との間で沿面放電を起し、陰極３や陰極線管の駆動回路を構成している半導体部品が破壊されるという現象が生じる。
【０００４】
このような沿面放電の発生を防止するため、例えば実公平５−９８０７号公報に示された従来の陰極線管では、図５に示すように、第３の格子電極６に両端が溶接され、ビードガラス８の外面を取り巻いて、ネック部１の内壁面との間に介在するように配設されている導電性リード９を設け、陰極線管の製造工程中において、ネック部１の外側から高周波加熱コイル（図示せず）で加熱し、ステンレススチール線で構成されている導電性リード９を加熱蒸発させて、対向するネック部１の内壁面に蒸着膜１３を形成させ、上述の帯電部分の移動をこの蒸着膜１３によって阻止するように構成されている。
【０００５】
【発明が解決しようとする課題】
以上のように構成された従来のものでは、導電性リード９がネック部１の内壁面に近いと、蒸着膜１３を形成するために、高周波加熱コイルで加熱したときに膨張してネック部１の内壁面に触れ、その温度によって、ネック部１に歪が入り、割れてしまう虞れがあるという問題点があった。
【０００６】
この発明は、上記のような問題点を解消するためになされたもので、高周波加熱コイルで加熱されて導電性リードが膨張しても、ネック部の内壁面に接触する虞れが少ない陰極線管の電子銃を得ることを目的としている。
【０００７】
【課題を解決するための手段】
この発明に係る陰極線管の電子銃は、ネック部に収容されている電子銃の格子電極に両端が固定され、上記電子銃の各電極を保持している一対のビードガラスの外面を取り巻いて上記ネック部の内壁面との間に介在するように配設されている導電性リードを有し、上記導電性リードを加熱蒸着させて、上記導電性リードに対向している上記ネック部の内壁面に蒸着膜を被着形成するようにしてなる陰極線管の電子銃において、上記導電性リードの少なくとも一端を、上記加熱により膨張した上記導電性リードをその長手方向に引っ張る金属片を介して上記格子電極に固定したものである。
【０００８】
また、金属片がバイメタルであり、このバイメタルは一対のビードガラスを結ぶ線と略平行に直立し、導電性リードの延在方向に略直交して、一端が格子電極に固定されるとともに他端に導電性リードの一端が固定されたものである。
【０００９】
さらに、金属片が弾性をもった金属片であり、この金属片は一対のビードガラスを結ぶ線と略平行に直立し、導電性リードの延在方向に略直交して、一端が格子電極に固定されるとともに他端に導電性リードの一端が固定されたものである。
【００１０】
また、金属片が導電性リードよりも線膨張率の高い金属片であり、この金属片はその延在方向が導電性リードの延在方向に略平行に配置されて中央部が格子電極に固定されるとともに両端に導電性リードの両端がそれぞれ固定されたものである。
【００１１】
【発明の実施の形態】
以下、この発明をその実施の形態を示す図面に基づいて具体的に説明する。なお、図において、同一符号は従来のものと同一または相当のものを示す。
【００１２】
実施の形態１．
図１はこの発明の実施の形態１である陰極線管の電子銃の要部を示す縦断面図である。図において、１はネック部、２は電子銃で、図４に示す陰極３、第１、第２、第３の格子電極４、５、６および陽極７がビードガラス８によって互いに所定の間隔でもって保持されて、電子銃２の主要部を構成している。１４は一対のビードガラス８を結ぶ線と略平行に直立、すなわち導電性リード９の延在方向に略直交してビードガラス８の一側に直立するバイメタルで、一端が第３の格子電極６に溶接され、他端に導電性リード９の一端が溶接されている。導電性リード９は、ビードガラス８の外面を取り巻いて、ネック部１の内壁面との間に介在するように配設され、他端が第３の格子電極６に溶接されている。また、バイメタル１４は、ネック部１に近い側が熱膨張率が低い方になるように構成されている。
【００１３】
このように構成されている電子銃２によれば、陰極線管の製造工程中において、蒸着膜１３を形成するために高周波加熱したときに、導電性リード９とともにバイメタル１４も加熱される。すると、バイメタル１４の性質と取り付け方向の関係から、バイメタル１４の導電性リード９との接続端側がビードガラス８から離れる方向に曲がる。この作用によって、導電性リード９はその長手方向に引っ張られ、加熱によって膨張しても、ネック部１の内壁面に向かって伸びなくなるので、ネック部１の内壁面に接触しなくなる。
なお、導電性リード９の一端だけではなく、両端ともバイメタル１４を介して第３の格子電極６に固定してもよい。
【００１４】
実施の形態２．
図２はこの発明の実施の形態２である陰極線管の電子銃の要部を示す縦断面図である。図において、１はネック部、２は電子銃で、図４に示す陰極３、第１、第２、第３の格子電極４、５、６および陽極７がビードガラス８によって互いに所定の間隔でもって保持されて電子銃２の主要部を構成している。１５は一対のビードガラス８を結ぶ線と略平行に直立、すなわち導電性リード９の延在方向に直交してビードガラス８の一側に直立する弾性のある金属片で、一端が第３の格子電極６に溶接され、他端に導電性リード９の一端が溶接されており、導電性リード９との接続端側がビードガラス８側に若干曲げられている。導電性リード９は、ビードガラス８の外面を取り巻いて、ネック部１の内壁面との間に介在するように配設され、他端が第３の格子電極６に溶接されている。また、金属片１５は例えばインコネル（ニッケル・クロム・鉄合金）で形成され、導電性リード９との接続端側がビードガラス８から離れる方向に付勢されて、導電性リード９をその長手方向に常時引っ張るように構成されている。
【００１５】
このように構成されている電子銃２によれば、陰極線管の製造工程中において、蒸着膜１３を形成するための高周波加熱によって導電性リード９が膨張しても、金属片１５の張力によって、導電性リード９がその長手方向に引っ張られるので、ネック部１の内壁面に向かって伸びることが抑えられることにより、ネック部１の内壁面に接触しなくなる。
なお、導電性リード９の一端だけではなく、両端とも金属片１５を介して第３の格子電極６に固定してもよい。
【００１６】
実施の形態３．
図３はこの発明の実施の形態３である陰極線管の電子銃の要部を示す縦断面図である。図において、１はネック部、２は電子銃で、図４に示す陰極３、第１、第２、第３の格子電極４、５、６および陽極７がビードガラス８によって互いに所定の間隔でもって保持されて電子銃２の主要部を構成している。１６は導電性リード９の延在方向と略平行にビードガラス８の内側に配置され、その中央部が第３の格子電極６に溶接され、導電性リード９より線膨張率の高い例えばアルミニウムで構成された金属片である。導電性リード９は、ビードガラス８の外面を取り巻いて、ネック部１の内壁面との間に介在するように配設され、その両端が金属片１６の両端にそれぞれ溶接されている。
【００１７】
このように構成されている電子銃２によれば、陰極線管の製造工程中において、蒸着膜１３を形成するために高周波加熱したときに、導電性リード９とともに金属片１６も加熱される。すると、導電性リード９が膨張して伸びるが、金属片１６は導電性リード９の伸び以上に伸びるので、導電性リード９がその長手方向に引っ張られ、導電性リード９はネック部１の内壁面に向かって伸びなくなるので、ネック部１の内壁面に接触しなくなる。
【００１８】
なお、上述の各実施の形態では、導電性リード９を第３の格子電極６に固定する例について示したが、第２の格子電極５に固定する場合も同様に実施できることは言うまでもない。
【００１９】
【発明の効果】
以上のように、この発明によれば、導電性リードの少なくとも一端を、加熱により膨張した導電性リードをその長手方向に引っ張る金属片を介して格子電極に固定するようにしたので、導電性リードが加熱されて膨張しても、ネック部の内壁面に接触しなくなるので、ネック部に歪が入ったり割れたりするのを防止することができる。
【図面の簡単な説明】
【図１】この発明の実施の形態１である陰極線管の電子銃の要部を示す縦断面図である。
【図２】この発明の実施の形態２である陰極線管の電子銃の要部を示す縦断面図である。
【図３】この発明の実施の形態３である陰極線管の電子銃の要部を示す縦断面図である。
【図４】従来の電子銃のネック部を破断して電子銃の構成を示す図である。
【図５】従来の陰極線管の電子銃の要部を示す縦断面図である。
【符号の説明】
１  ネック部
２  電子銃
６  第３の格子電極
８  ビードガラス
９  導電性リード
１３  蒸着膜
１４  バイメタル
１５  金属片
１６  金属片
【図１】
0003575147.tif 000002
【図２】
0003575147.tif 000003
【図３】
0003575147.tif 000004
【図４】
0003575147.tif 000005
【図５】
0003575147.tif 000006